(57)【特許請求の範囲】
【請求項１】
スイッチ構造であって、本体、往復移動可能なキャリア、制限体を備え、
前記本体には、少なくとも１つのチャンバーを形成し、
前記本体には、前記チャンバーに対応する貫通孔を設置し、
前記チャンバーには、固定器と導電金属を配置し、
前記往復移動可能なキャリアは、固定器を組合せ、前記キャリアには、アームを設置し、弾性部材を組合せ、
前記制限体は、前記本体と二点式の組合せ形態を形成するように前記チャンバー内に配置し、
前記制限体には、槽室を設置し、前記キャリアのアームと弾性部材とを収容することを特徴とするスイッチ構造。
【請求項２】
前記導電金属は、平面、前記平面上に形成する枢結孔を備え、
前記導電金属には、壁、前記壁上に形成するトレンチを設置し、
前記キャリアには、前記導電金属の平面に対応するキャリア面と、前記キャリア面に突出し、前記壁上にある前記トレンチに対応することにより、前記トレンチ内を移動できる頚部と、を設置し、及び
前記導電金属は、接触ピンを備え、前記本体内に配置する導電片に接触し、電気的接続を形成することを特徴とする請求項１に記載のスイッチ構造。
【請求項３】
前記壁は、平面に垂直であることを特徴とする請求項２に記載のスイッチ構造。
【請求項４】
前記導電金属の枢結孔に対応し、前記キャリアの前記キャリア面には、前記固定器を組み合わせる孔洞を設置することを特徴とする請求項２に記載のスイッチ構造。
【請求項５】
前記頚部末端には、サブアームを設置し、前記アームも、前記頚部末端に形成し、
前記アームと前記サブアームとは、相互に平行な形態で、前記キャリア面に垂直で、
前記アームの長さは、前記サブアームより短いことを特徴とする請求項４に記載のスイッチ構造。
【請求項６】
前記キャリアには、サブアームを設置し、
前記アームと前記サブアームとは、相互に平行な形態を呈することを特徴とする請求項１乃至５のいずれか一項に記載のスイッチ構造。
【請求項７】
前記弾性部材は、バネ形態であることを特徴とする請求項１乃至６のいずれか一項に記載のスイッチ構造。
【請求項８】
前記チャンバーには、凹部を形成し、前記制限体を配置することを特徴とする請求項１乃至７のいずれか一項に記載のスイッチ構造。
【請求項９】
前記制限体には、槽室を設置し、
前記槽室には、前記キャリアのアームと前記弾性部材とを収容することを特徴とする請求項１或いは２或いは５或いは６に記載のスイッチ構造。
【請求項１０】
前記制限体には、槽室と導槽とを設置し、
前記槽室には、前記キャリアのアームと前記弾性部材とを収容し、
前記導槽は、前記サブアームを収容し、これにより前記サブアームは、前記導槽内で移動することを特徴とする請求項５或いは６に記載のスイッチ構造。
【請求項１１】
前記制限体は、ブロック状物形態で、
前記槽室と前記導槽とは、相互に隣接して平行な形態であることを特徴とする請求項９或いは１０に記載のスイッチ構造。
【請求項１２】
前記固定器により、前記キャリアと前記導電金属とは、扁平頭端の端子型導線を挟持することを特徴とする請求項１或いは２或いは５或いは６或いは９或いは１０に記載のスイッチ構造。
【請求項１３】
前記固定器により、前記キャリアと前記導電金属とは、裸線型導線を挟持することを特徴とする請求項１或いは２或いは５或いは６或いは９或いは１０に記載のスイッチ構造。
【請求項１４】
前記枢結孔は、ネジ孔で、
前記固定器は、前記導電金属の枢結孔に螺合することを特徴とする請求項２乃至４のいずれか一項に記載のスイッチ構造。
【発明の詳細な説明】
【技術分野】
【０００１】
本発明は、スイッチの構造設計に関し、特に導線を挿入して接続する（カム）スイッチ装置で、制限体を設置してキャリアを導引することで、裸線端子と扁平端子とを枢結する型式の導線に応用可能な発明であるスイッチ構造に関する。
【背景技術】
【０００２】
電機、電子及び自動制御システムに応用し、作業員が機台オン（ＯＮ）或いはオフ（ＯFＦ）状態の制御に用いるスイッチ或いはカムスイッチは、従来の技術に属する。
【０００３】
この種のスイッチは、１つの絶縁ハウジング１０（通常は、プラスチック材料により製造）を含み、複数のチャンバー１１を形成する。
チャンバー１１内には、導電金属２０と、導電金属２０上に組み合わせるワッシャ３０（或いはパッド）と、調整ネジ３５とを配置する。
各チャンバー１１に対応し、ハウジング１０には、複数の貫通孔１２を設置する。
これにより、端子導線を、チャンバー１１へ挿入することができる。
しかも、ネジ３５、ワッシャ３０を操作することで、端子導線を圧迫して固定し、導電金属２０と電気的接続を形成する。
【０００４】
図１、２に示すように、ハウジング１０には、ダイヤル１３とカム１４を設置する。
ダイヤル１３を操作し、カム１４の回転を駆動することで、各チャンバー１１内に設置する導電金属２０を、作業オン（ＯＮ）位置にするか、オフ（ＯＦＦ）位置するかを選択することができる。
【０００５】
該項技術の習熟者は熟知のように、現場設備の配置と需要に応じて、ハウジング１０は複数の層、或いは複数個を相互に嵌合して重ねて設置することができる。
例えば、図１に示すように、二層のハウジング１０を重ねて組み合わせる形態とすることができる。
【０００６】
この種のスイッチの構造設計と応用における課題は、自動設備の配置に対応させるため、多層のハウジング１０を重ねて組み合わせるため、ハウジング１０の厚み或いは高さをあまり大きくできない点である（ハウジング１０の高さは約１ｃｍ〜１.５ｃｍ）。
上記したような制限条件は、ネジ３５の操作空間に影響を及ぼすばかりでなく、チャンバー１１と導電金属２０に挿入して接続する導線の型式をも制限してしまう。
【０００７】
図２、３に示すように、端子導線を貫通孔１２からチャンバー１１の導電金属２０とワッシャ３０との間にスムーズに挿入できるよう、作業員は本能的にネジ３５を緩めるため、ネジ３５がハウジング１０外に脱落する状況を招く。
【０００８】
上述の問題を解決するため、従来の技術では、ワッシャ３０の製造時には、プレス、湾曲屈折作業を対応させる。
これにより、ワッシャ３０は、２個の垂直の弧状翼部３１を備え、これによりネジ３５を取り囲んで制限し、ネジ３５が、操作によりハウジング１０から脱落する状況を防止する。
【０００９】
しかし、該項技術の習熟者は熟知のように、これはワッシャ３０の構造の複雑性と製造コストとを拡大してしまう。
しかも、ワッシャ３０にプレス、湾曲屈折を施し、弧状翼部３１を形成する便のため、ワッシャ３０の厚みは、薄くなければならない（通常は約０.６ｍｍ）。
このため、ワッシャ３０の構造強度と端子導線を押さえる能力を低下させている。
【００１０】
さらに、上述した多層組合せのハウジング１０は、厚み或いは高さを大きくすることができないことにより、ネジ３５の操作空間を制限している。
これにより、ハウジング１０、ワッシャ３０は、Ｏ型或いはＹ型端子導線等の扁平頭端を備える端子型導線にしか適用することができない。
直径が大きい或いは厚みがある裸線型導線では、チャンバー１１の導電金属２０とワッシャ３０との間に挿入することは非常に困難である。
【００１１】
すなわち、これら参考資料に開示するスイッチ構造、導電金属、ワッシャ、ネジ及び端子導線等に関する組合せ構造の設計技術において、スイッチの組合せ構造を改めて考察して設計し、従来の技術とは異なる構造とし、その使用形態を変えれば、実質上、全体の安定性と導線挟持能力とを保持したまま、その応用状況を改善させることができる。
【００１２】
理想的なスイッチ構造形態は、上記の課題を克服或いは改善し、以下の設計における考慮を含む必要がある。
例えば、ハウジングの高さの制限に符合する条件下で、ワッシャと導電金属、固定ネジの対応関係が、理想的な構造強度と固定制限能力を備え、ワッシャ構造の複雑性とコストを低下させることができる。
しかも、操作が簡便であるという条件下で、さらにハウジング構造と相関組合せ構成部材とが、扁平型端子導線（例えば、Ｏ型或いはＹ型端子導線）と裸線型導線に同時に適用することができる。
これら課題は、上述の参考資料中では、未だ教示或いは具体的な開示がなされていない。
【発明の概要】
【発明が解決しようとする課題】
【００１３】
しかし、上述した発明は使用上に欠点があり、改善する必要がある。その原因は下記の通りである。
【００１４】
上述した従来の技術では、ワッシャの構造の複雑性と製造コストとを拡大してしまい、ワッシャにプレス、湾曲屈折を施し、弧状翼部を形成する便のため、ワッシャは薄くなければならないため、ワッシャの構造強度と端子導線を押さえる能力を低下させている。
【００１５】
さらに、上述した多層組合せのハウジングは、厚み或いは高さを大きくすることができないことにより、ネジの操作空間を制限しており、これにより、ハウジング、ワッシャは、Ｏ型或いはＹ型端子導線等の扁平頭端を備える端子型導線にしか適用することができず、直径或いは厚みが大きな裸線型導線では、チャンバーの導電金属とワッシャとの間に挿入することは非常に困難である。
【００１６】
本発明は、上述の問題に鑑みてなされたものであり、その目的は、裸線端子と扁平端子とを枢結する型式の導線に応用可能なスイッチ構造を提供することにある。
【課題を解決するための手段】
【００１７】  本発明によるスイッチ構造は、強度と固定制限能力が低いという従来のスイッチ構造に存在する欠点を改善することができるスイッチ構造であって、スイッチは、本体、往復移動可能なキャリアを備える。  本体には、少なくとも１つのチャンバーを形成し、チャンバーには固定器と導電金属とを配置し、端子導線を圧迫して制限し電気的接続を形成する。  キャリアには、固定器を組合せ、キャリアには、アームを設置し、弾性部材に対応し、制限体上に一緒に設置する。  制限体は、本体と二点式の組合せ形態を形成するようにチャンバー内に配置し、キャリアの移動方向或いは距離を制限する。【００１８】
本発明のスイッチ構造において、制限体には、槽室を設置し、キャリアのアームと弾性部材とを収容し、キャリアは固定器の操作に対応し、槽室に沿って往復移動の作用を生じる。
これにより、キャリアと固定器とは、弾性的な操作空間を備え、扁平頭端の端子型導線と裸線型導線とはチャンバーの導電金属とキャリアとの間に挿入され、固定器に対応し、制限して固定される。
【００１９】
1. スイッチ構造或いはその相関結合構成部材（例えば、本体を凹部に設置して配置する制限体には、槽室と導槽とを設置し、キャリアのアーム、弾性部材及びサブアームをそれぞれ収容し、導電金属にはトレンチを設置し、これによりキャリアの頚部はトレンチに沿って運動する等）は、使用と構造設計、組織関係等において、新たな設計をなされており、従来の構造、方法とは異なる。しかも、その使用形態と応用範囲も違い、理想的な構造強度、固定制限能力及び簡便操作の作用を備える。
【００２０】
2. 特に、操作によるハウジングからのネジの脱出を阻止するため、ワッシャはプレス、湾曲屈折作業に対応せざるを得ず、構造の複雑性と製造コストを拡大し、ワッシャの構造強度と制限端子導線を固定する能力を低下させている等の状況は、明らかに改善された。
【００２１】
3. スイッチ或いはハウジングの高さが制限される条件下において、制限体はキャリアの構造形態に対応し、キャリア、固定器及び導電金属の間には、弾性的な操作空間を形成するため、扁平頭端のＯ型或いはＹ型端子導線及び／或いは裸線型導線に適用することができ、扁平頭端の端子型導線にしか応用できないため、使用者が自由に選択できないという従来の技術に存在する欠点を確実に改善することができる。
【図面の簡単な説明】
【００２２】
【図１】ハウジングにダイヤルを組み合わせる構造を示す従来のスイッチ構造の模式図である。
【図２】ハウジング、導電金属、ワッシャ等構成部材の位置を１８０°回転させた状況を示す従来のスイッチの構造分解模式図である。
【図３】ハウジング、導電金属、ワッシャ等構成部材の対応状況を示す従来のスイッチの構造断面模式図である。
【図４】ハウジング、導電金属、キャリア等構成部材の位置を１８０°回転させた状況を示す本発明の構造分解模式図である。
【図５】ハウジング、導電金属、キャリア、弾性部材等構成部材の対応状況を示す本発明の構造断面模式図である。
【図６】固定器がキャリアを駆動し動かし、弾性部材を圧縮してエネルギーを蓄積する状況を示す本発明の操作実施形態模式図である。
【図７】扁平頭端の端子型導線はＯ型或いはＹ型端子導線で、本発明において扁平頭端の端子型導線を挟持する実施形態を示す模式図ある。
【図８】本発明において裸線型導線を挟持する実施形態を示す模式図である。
【発明を実施するための形態】
【００２３】
（一実施形態）
本発明の一実施形態によるスイッチ構造を図面に基づいて説明する。
図４、５に示すように、本発明のスイッチ構造は、絶縁材料により製造する１つの本体４０を備える。
本体４０には、複数のチャンバー４１とチャンバー４１に対応する貫通孔４２を形成する。
これにより、端子導線をチャンバー４１内に挿入することができる。
また、チャンバー４１内には、導電金属５０、導電金属５０に組み合わせるキャリア６０と固定器７０を配置する。
【００２４】
本実施形態中では、固定器７０は、ネジの形態である。
そのため、端子導線は、貫通孔４２からチャンバー４１へと挿入された後、対応して固定器７０を操作し、これによりキャリア６０は端子導線を圧迫して固定し、導電金属５０と電気的接続を形成する。
しかも、従来の作業形態のように、操作回転本体４０上に組み合わせるカム４３を操作して回転させると、チャンバー４１内に設置する各導電金属５０を、作業オン（ＯＮ）位置にするか、オフ（ＯＦＦ）位置する制御するかを選択することができる。
【００２５】
図に示すように、導電金属５０は、平面５１、平面５１上に形成する枢結孔５２（或いはネジ孔）を備える。
固定器７０を操作して移動させると、固定器７０は、枢結孔５２と枢結する。
導電金属５０は、接触ピン５３を備え、これにより本体４０内に配置する導電片４５と接触し、電気的接続を形成する（図４参照)。
【００２６】
好ましい一実施形態中では、導電金属５０には、平面５１に垂直な壁５４と壁５４上に形成するトレンチ５５を設置する。
導電金属５０の平面５１とトレンチ５５に対応し、キャリア６０には、キャリア面６１、キャリア面６１に突出する頚部６３を設置する。
しかも、これにより頚部６３は、トレンチ５５内で移動することができる。
【００２７】
具体的には、キャリア面６１には、固定器７０を組み合わせる孔洞６２を設置し、導電金属５０の枢結孔５２に対応する。
そのため、固定器７０を操作して移動させると、固定器７０はキャリア６０を押して動かし、これにより頚部６３はトレンチ５５に沿って移動する。
【００２８】
図４に示すように、キャリア６０は、頚部６３末端に、アーム６４とサブアーム６５とを設置する。
アーム６４とサブアーム６５とは、相互に平行な形態で、キャリア面６１に垂直である。
一実施形態中では、アーム６４の長さは、サブアーム６５より小さく、アーム６４には、弾性部材６６を組み合わせる。
弾性部材６６は、バネ形態である。
【００２９】
一実施形態中では、チャンバー４１には、凹部４４を形成し、制限体８０を配置する。
制限体８０は、キャリア６０の運動方向或いは距離を導引するために用いる。
制限体８０は、本体４０と一体成型する。
射出成型作業の便のため、制限体８０は、本体４０と二点式の組合せ形態を形成することもできる。
【００３０】
以下に詳細に説明する。
制限体８０は、ブロック状物形態で、相互に隣接し平行の槽室８１と導槽８２とを設置する。
槽室８１には、キャリア６０のアーム６４と弾性部材６６とを収容する。
導槽８２は、サブアーム６５を収容し、しかもサブアーム６５の導槽８２内での移動を補助導引し、キャリア６０が、固定器７０の操作により、往復移動する際の安定性を拡大することができる。
【００３１】
図５は、固定器７０がキャリア孔洞６２を通過し、キャリア６０を組み合わせる状況を示す。
図６は、固定器７０を操作して動かすと、固定器７０がキャリア６０を押して、導電金属５０の平面５１位置へと移動させる状況を示す。
同時に、キャリア６０のアーム６４は、弾性部材６６を圧縮してエネルギーを蓄積する。
図６に示すように、固定器７０は、導電金属５０の枢結孔５２に螺合し、定位固定の状況を形成する。
【００３２】
さらに以下に説明する。
図５、６に示すように、制限体８０の槽室８１と導槽８２は、キャリア６０のアーム６４、弾性部材６６とサブアーム６５を収容し、キャリア６０は固定器７０の操作に対応して、槽室８１と導槽８２に沿って、往復移動の作用を生じる。
これにより、キャリア６０と固定器７０とは、弾性的な操作空間を備え、扁平頭端の端子型導線（例えば、Ｏ型或いはＹ型端子導線）と裸線型導線は、チャンバー４１の導電金属５０とキャリア６０との間に挿入され、固定器７０に対応し、制限して固定する（図７、８参照）。
【００３３】
すなわち、このスイッチ構造は、従来の構造に比べ以下のような利点を備える。
1. スイッチ構造或いはその相関結合構成部材（例えば、本体１０を凹部４４に設置して配置する制限体８０には、槽室８１と導槽８２とを設置し、キャリア６０のアーム６４、弾性部材６６及びサブアーム６５をそれぞれ収容し、導電金属５０にはトレンチ５５を設置し、これによりキャリア頚部６３はトレンチ５５に沿って運動する等）は、使用と構造設計、組織関係等において、新たな設計をなされており、従来の構造、方法とは異なる。しかも、その使用形態と応用範囲も違い、理想的な構造強度、固定制限能力及び簡便操作の作用を備える。
【００３４】
2.特に、操作によるハウジングからのネジの脱出を阻止するため、ワッシャはプレス、湾曲屈折作業に対応せざるを得ず、構造の複雑性と製造コストを拡大し、ワッシャの構造強度と制限端子導線を固定する能力を低下させている等の状況は、明らかに改善された。
【００３５】
3.スイッチ或いはハウジングの高さが制限される条件下において、制限体８０はキャリア６０の構造形態に対応し、キャリア６０、固定器７０及び導電金属５０の間には、弾性的な操作空間を形成するため、扁平頭端のＯ型或いはＹ型端子導線及び／或いは裸線型導線に適用することができ、扁平頭端の端子型導線にしか応用できないため、使用者が自由に選択できないという従来の技術に存在する欠点を確実に改善することができる。
【００３６】
上記したように、本発明が提供するスイッチ構造において、その空間形態は、従来の構造と異なり、しかも従来の構造とは比較にならない長所を備え、非常に大きな進歩を示している。
【００３７】
上述の実施形態の説明を総合すると、本発明の操作、使用、及び本発明が生じる効果を充分理解することができる。しかし、以上に述べた実施形態は単に本発明の好ましい実施形態であり、これによって本発明の特許請求の範囲を限定することではない。即ち本発明の特許請求の範囲及び説明書の内容に基づいて、同等効果を有する簡単な変化及び修飾は、全て、本発明の範囲内に属するものとする。
【符号の説明】
【００３８】
１０  ハウジング
１１  チャンバー
１２  貫通孔
１３  ダイヤル
１４  カム
２０  導電金属
３０  ワッシャ
３１  翼部
３５  ネジ
４０  本体
４１  チャンバー
４２  貫通孔
４３  カム
４４  凹部
４５  導電片
５０  導電金属
５１  平面
５２  枢結孔
５３  接触ピン
５４  壁
５５  トレンチ
６０  キャリア
６１  キャリア面
６２  孔洞
６３  頚部
６４  アーム
６５  サブアーム
６６  弾性部材
７０  固定器
８０  制限体
８１  槽室
８２  導槽
【図１】
0006047122.tif 000002
【図２】
0006047122.tif 000003
【図３】
0006047122.tif 000004
【図４】
0006047122.tif 000005
【図５】
0006047122.tif 000006
【図６】
0006047122.tif 000007
【図７】
0006047122.tif 000008
【図８】
0006047122.tif 000009